(57)【要約】【課題】  複数のマウントフィルムから作製順にマウントフィルムを１枚ずつ取り出すことができる、マウント装置を提供する。【解決手段】  マウント装置１０は、マウントフィルムＭＦを作製する装置本体１２と、作製されたマウントフィルムＭＦを積層するように収納する収納ケース１４とを備える。収納ケース１４は、マウントフィルムＭＦを支持する支持部材２８と、マウントフィルムＭＦの前後左右の動きを規制する規制部材３０とを備える。規制部材３０の手前側の側面３０ａには複数のマウントフィルムＭＦをまとめて取り出すための開口部３６が形成され、規制部材３０の右側の側面３０ｄには天板２８ｂ上のマウントフィルムＭＦを１枚ずつ取り出すための取り出し口４４が形成される。【選択図】      図２
2007033834.tif 000002
【特許請求の範囲】
【請求項１】
フィルム片にマウントを装着することによってマウントフィルムを作製する装置本体と、前記装置本体からの前記マウントフィルムを積層するように収納する収納ケースとを備える、マウント装置であって、
前記収納ケースは、
前記マウントフィルムを支持する支持部材、
前記支持部材上の前記マウントフィルムの動きを規制するために立設される規制部材、および
前記支持部材上の前記マウントフィルムを１枚ずつ取り出し可能に前記規制部材に形成される取り出し口を備える、マウント装置。
【請求項２】
前記収納ケースは、前記規制部材の上端から前記支持部材に至る開口部をさらに含む、請求項１に記載のマウント装置。
【請求項３】
前記収納ケースは、前記支持部材上の前記マウントフィルムを前記取り出し口から突出させるために前記支持部材に形成される切り欠き部をさらに含む、請求項１または２に記載のマウント装置。
【請求項４】
前記収納ケースは、前記取り出し口を開閉するための蓋をさらに含む、請求項１から３のいずれかに記載のマウント装置。
【請求項５】
前記収納ケースは、前記装置本体に着脱可能に設けられる、請求項１から４のいずれかに記載のマウント装置。
【発明の詳細な説明】
【技術分野】
【０００１】
この発明はマウント装置に関し、より特定的には、フィルムにマウントを装着することによってマウントフィルムを作製するマウント装置に関する。
【背景技術】
【０００２】
従来、マウントフィルムを作製するためのマウント装置として、たとえば図９に示すようなマウント装置１が用いられている。図９に示すマウント装置１では、複数のコマ画像が形成された長尺のフィルムＦを装置本体２の筐体３上でコマ画像毎に切断し、装着部４でフィルムＦから切断したフィルム片Ｆ１にマウントＭを装着し、マウントフィルムＭＦを作製する。作製されたマウントフィルムＭＦは、装着部４から筐体３の手前側の側面３ａに固定される収納ケース５に落下するように与えられ、収納ケース５内に作製順に積み重ねられる（積層される）。積層される複数のマウントフィルムＭＦは、収納ケース５の開口部５ａを介して指等で上下から挟まれ、持ち上げるようにして収納ケース５内から取り出される。そして、複数のマウントフィルムＭＦがまとめて検品される。
【発明の開示】
【発明が解決しようとする課題】
【０００３】
しかし、従来技術のマウント装置１では、複数のマウントフィルムＭＦをまとめて取り出すために、各マウントフィルムＭＦのフィルム片Ｆ１が長尺のフィルムＦにおいて何番目のフィルム片Ｆ１であったのか検品時にわからなくなってしまうおそれがある。このために、収納ケース５内に積層される複数のマウントフィルムＭＦから作製順にマウントフィルムＭＦを１枚ずつ取り出して検品したいという要望があった。
【０００４】
それゆえに、この発明の主たる目的は、複数のマウントフィルムから作製順にマウントフィルムを１枚ずつ取り出すことができる、マウント装置を提供することである。
【課題を解決するための手段】
【０００５】
上述の目的を達成するために、請求項１に記載のマウント装置は、フィルム片にマウントを装着することによってマウントフィルムを作製する装置本体と、装置本体からのマウントフィルムを積層するように収納する収納ケースとを備える、マウント装置であって、収納ケースは、マウントフィルムを支持する支持部材、支持部材上のマウントフィルムの動きを規制するために立設される規制部材、および支持部材上のマウントフィルムを１枚ずつ取り出し可能に規制部材に形成される取り出し口を備える。
【０００６】
請求項２に記載のマウント装置は、請求項１に記載のマウント装置において、収納ケースは、規制部材の上端から支持部材に至る開口部をさらに含むことを特徴とする。
【０００７】
請求項３に記載のマウント装置は、請求項１または２に記載のマウント装置において、収納ケースは、支持部材上のマウントフィルムを取り出し口から突出させるために支持部材に形成される切り欠き部をさらに含むことを特徴とする。
【０００８】
請求項４に記載のマウント装置は、請求項１から３のいずれかに記載のマウント装置において、収納ケースは、取り出し口を開閉するための蓋をさらに含むことを特徴とする。
【０００９】
請求項５に記載のマウント装置は、請求項１から４のいずれかに記載のマウント装置において、装置本体に着脱可能に設けられることを特徴とする。
【００１０】
請求項１に記載のマウント装置では、収納ケース内に積層される複数のマウントフィルムから規制部材に形成される取り出し口を介して作製順にマウントフィルムを１枚ずつ取り出すことができる。したがって、作製順にマウントフィルムを１枚ずつ検品でき、検品を容易にできる。
【００１１】
請求項２に記載のマウント装置では、収納ケース内に積層される複数のマウントフィルムを開口部を介してまとめて取り出すことができる。したがって、作製順にマウントフィルムを１枚ずつ取り出し検品したい場合、および複数のマウントフィルムをまとめて取り出し検品したい場合のいずれにも対応でき、状況に応じて所望の検品を行うことができる。
【００１２】
請求項３に記載のマウント装置では、収納ケースの支持部材に形成される切り欠き部から指等でマウントフィルムに触れてマウントフィルムを取り出し口側に移動させることができる。これによって、マウントフィルムを取り出し口から突出させ、簡単にマウントフィルムを取り出すことができる。
【００１３】
請求項４に記載のマウント装置では、取り出し口を開閉するための蓋が収納ケースに設けられ、マウントフィルムの取り出しが必要でないときには蓋によって取り出し口が閉じられる。これによって、取り出しが必要でないときに、マウントフィルムが取り出し口から突出しひいてはマウントフィルムが収納ケースから脱落することを防止できる。
【００１４】
請求項５に記載のマウント装置では、収納ケースが装置本体に着脱可能に設けられ、収納ケースが満杯になっても収納ケースを交換することによってマウントフィルムの作製を継続することができ、利便性を向上できる。
【発明の効果】
【００１５】
この発明によれば、複数のマウントフィルムから作製順にマウントフィルムを１枚ずつ取り出すことができる、マウント装置が得られる。
【発明を実施するための最良の形態】
【００１６】
以下、図面を参照して、この発明の実施の形態について説明する。
図１を参照して、この発明の一実施形態のマウント装置１０では、複数のコマ画像が形成された写真用のリバーサルフィルム（以下、単にフィルムという）Ｆをコマ画像毎に切断し、これによって得られるフィルム片Ｆ１にマウントＭを装着することによってマウントフィルムＭＦを作製する。マウント装置１０は、マウントフィルムＭＦを作製する装置本体１２と、作製されたマウントフィルムＭＦを収納する収納ケース１４とを備える。
【００１７】
装置本体１２は略直方体状の筐体１６を含む。筐体１６の上面には、長尺のフィルムＦを搬送しかつフィルムＦに形成された複数のコマ画像を確認するための搬送部１８、マウントＭの窓部Ｍ１（図３参照）に挿通することによって複数のマウントＭを積層するように保持する保持部２０、レバー２２への操作に伴ってフィルムＦを切断するカッタ２４、および、カッタ２４によってフィルムＦから切断されたフィルム片Ｆ１にマウントＭを装着する装着部２６が設けられる。この実施形態では、フィルム片Ｆ１をマウントＭの左側の側面に形成される図示しない挿入孔から挿入することによって、フィルム片Ｆ１にマウントＭを装着しマウントフィルムＭＦを作製するものとする。
【００１８】
収納ケース１４は、このような装置本体１２において筐体１６の手前側の側面１６ａかつ装着部２６の前方に着脱可能に設けられる。装着部２６で作製されたマウントフィルムＭＦは、収納ケース１４に落下するように与えられ、収納ケース１４内に作製順に積み重ねられる（積層される）。
【００１９】
ここで、図２〜図４を参照して、収納ケース１４について詳しく説明する。
図２および図３に示すように、収納ケース１４は、マウントフィルＭＦを支持するための支持部材２８と、支持部材２８上のマウントフィルムＭＦの前後左右（水平方向）の動きを規制するための規制部材３０とを備える。
【００２０】
支持部材２８は、下端開口の箱状部材に切り欠き部３２と３４とを形成することによって構成され、側壁２８ａと天板２８ｂとを有する。側壁２８ａは規制部材３０の内周面かつ下端部近傍に固定され、天板２８ｂは装着部２６から落下するように与えられるマウントフィルムＭＦを上面で支持する。
【００２１】
図３に示すように、切り欠き部３２は、側壁２８ａの手前側の側面下端から上方に延びて天板２８ｂに至り天板２８ｂの前部を切り欠くように形成される。天板２８ｂにおいて、切り欠き部３２は天板２８ｂの上面に配置されるマウントフィルムＭＦの窓部Ｍ１に届かない程度に後方に延びる。また、切り欠き部３４は、側壁２８ａの左側の側面下端から上方に延びて天板２８ｂに至り天板２８ｂの左側部を切り欠くように形成される。天板２８ｂにおいて、切り欠き部３４は天板２８ｂの上面に配置されるマウントフィルムＭＦの窓部Ｍ１に届かない程度に右側に延びる。つまり、切り欠き部３２と３４とはそれぞれ、天板２８ｂの上面に配置されるマウントフィルムＭＦのフィルム片Ｆ１に指等が触れないように形成される。
【００２２】
規制部材３０の手前側の側面３０ａには上端から下端に至る開口部３６が形成され、規制部材３０の横断面は略コ字状となる。開口部３６の左右の幅寸法は、マウントフィルムＭＦが開口部３６から前方に飛び出すことのないようにマウントフィルムＭＦの左右の幅寸法よりも小さく設定される。開口部３６と規制部材３０の切り欠き部３２とは、収納ケース１４内に積層される複数のマウントフィルムＭＦを指等で上下から挟んで取り出すために用いられる。
【００２３】
また、規制部材３０の後（奥）側の側面３０ｂの上端は、左側の側面３０ｃの上端および右側の側面３０ｄの上端よりも低くなるように設けられる。これによって、規制部材３０には装着部２６からのマウントフィルムＭＦを導入するための導入口３８が設けられる。導入口３８において、側面３０ｂの上端には後斜め上方に延びかつ左右に延びる案内板４０が設けられる。また、導入口３８において、側面３０ｃの後端には左斜め後方に延びる案内板４２ａが設けられ、側面３０ｄの後端には右斜め後方に延びる案内板４２ｂが設けられる。このような案内板４０，４２ａおよび４２ｂによって装着部２６からのマウントフィルムＭＦを収納ケース１４内に確実に案内できる。
【００２４】
また、図２に示すように、規制部材３０の側面３０ｄには、前後に延びてその下端が天板２８ｂの上面と略面一になる取り出し口４４が形成される。取り出し口４４は、１枚のマウントフィルムＭＦを通過させるように、前後の幅寸法がマウントフィルムＭＦの前後の幅寸法よりも大きく設定され、かつ上下（垂直方向）の幅寸法がマウントフィルムＭＦの厚みよりも大きく設定される。このような取り出し口４４は、収納ケース１４内に積層される複数のマウントフィルムＭＦから天板２８ｂの上面に配置されるマウントフィルムＭＦを取り出すために用いられる。
【００２５】
さらに、規制部材３０の側面３０ｃには、下端から上方に延びて天板２８ｂの上面よりも上側に至る切り欠き部４６が形成される。切り欠き部４６と規制部材３０の切り欠き部３４とは、天板２８ｂの上面に配置されるマウントフィルムＭＦを指等で取り出し口４４側（右側）に押すことによって取り出し口４４から突出させるために用いられる。なお、図３においては、マウントフィルムＭＦが切り欠き部３４，４６から取り出し口４４側に押され、マウントフィルムＭＦが取り出し口４４から突出している状態が示されている。
【００２６】
また、図４に示すように、規制部材３０の側面３０ｂには、板状の取り付け部材４８が固定される。板状の取り付け部材４８には、中央部を折り曲げることによって側面３０ｂとの間に空隙を形成するように突出部４８ａが設けられる。突出部４８ａには取り付け孔５０が上下に形成される。２つの取り付け孔５０はそれぞれ、下方の大径部５０ａと上方の小径部５０ｂとを連結することによって上下に延びるように形成される。
【００２７】
収納ケース１４は、このような取り付け部材４８を介して装置本体１２に取り付けられる。図５をも参照して、取り付けに際しては、まず、筐体１６の手前側の側面１６ａに設けられる２つのボルト５２がそれぞれ取り付け孔５０の大径部５０ａに挿通するように収納ケース１４を後方に移動させる。そして、ボルト５２の頭部５２ａが突出部４８ａと側面３０ｂとの空隙に位置する状態で収納ケース１４を下ろすことによって、頭部５２ａと側面１６ａとの間に介挿されるスペーサ５４が小径部５０ｂに嵌合する。これによって、収納ケース１４が装置本体１２に取り付けられる。収納ケース１４を装置本体１２から取り外す際には、収納ケース１４を持ち上げて前方に移動させればよい。
【００２８】
このようなマウント装置１０によれば、収納ケース１４内に積層される複数のマウントフィルムＭＦから取り出し口４４を介して作製順にマウントフィルムＭＦを１枚ずつ取り出すことができる。したがって、作製順にマウントフィルムＭＦを１枚ずつ検品でき、検品を容易にできる。
【００２９】
また、積層される複数のマウントフィルムＭＦを開口部３６および切り欠き部３２を介して収納ケース１４内からまとめて取り出すこともできる。したがって、作製順にマウントフィルムＭＦを１枚ずつ取り出し検品したい場合、および複数のマウントフィルムＭＦをまとめて取り出し検品したい場合のいずれにも対応でき、状況に応じて所望の検品を行うことができる。
【００３０】
また、マウントフィルムＭＦを切り欠き部３４，４６から指等で取り出し口４４側に押すことによって、マウントフィルムＭＦを取り出し口４４から突出させ、簡単にマウントフィルムＭＦを取り出すことができる。
【００３１】
さらに、収納ケース１４が装置本体１２に着脱可能に設けられることによって、収納ケース１４が満杯になっても収納ケース１４を交換することによってマウントフィルムＭＦの作製を継続することができ、利便性を向上できる。
【００３２】
なお、上述の収納ケース１４では、規制部材３０の右側の側面３０ｄに取り出し口４４を設け、側面３０ｄから右側にマウントフィルムＭＦを取り出す場合について説明したが、この発明はこれに限定されない。
【００３３】
ついで、図６〜図８を参照して、収納ケースの他の例である収納ケース１４ａについて説明する。収納ケース１４ａにおいて、上述の収納ケース１４と同様に構成される部分については、同一の符号を付し、その説明を省略する。
【００３４】
収納ケース１４ａは、支持部材５６と規制部材５８とを備える。支持部材５６は、下端開口の箱状部材に切り欠き部６０のみを形成することによって構成され、側壁５６ａと天板５６ｂとを有する。切り欠き部６０は、側壁５６ａの手前側の側面下端から上方に延びて天板５６ｂに至り天板５６ｂの前部を切り欠くように形成される。天板５６ｂにおいて、切り欠き部６０は天板５６ｂの上面に配置されるマウントフィルムＭＦの窓部Ｍ１に届かない程度に後方に延びる。
【００３５】
規制部材５８は、横断面略長方形状かつ両端開口の筒状に形成される。規制部材の５８ａには、天板５６ｂの上面に配置されるマウントフィルムＭＦを取り出すための取り出し口６２と、下端から上方に延びて取り出し口６２に至る切り欠き部６４とが形成される。
【００３６】
規制部材５８に形成される切り欠き部は、切り欠き部６４のみである。また、上述の規制部材３０では取り出し口４４が右側の側面３０ｄに形成されるが、規制部材５８には取り出し口６０が手前側の側面５８ａに形成される。さらに、上述の規制部材３０には開口部３６が形成されるが、規制部材５８には開口部が形成されない。その他については、規制部材５８と上述の規制部材３０とは同様に構成される。
【００３７】
規制部材５８の側面５８ａには、取り出し口６２を開閉するための蝶番状の蓋６６が設けられる。蓋６６は、側面５８ａに固定される固定部６６ａと、固定部６６ａに回動可能に連結される蓋部６６ｂとを含む。蓋部６６ｂは、固定部６６ａと蓋部６６ｂとの連結部分に内蔵される図示しないばねによって閉じ側（側面５８ａ側）に付勢される。なお、図６および図７においては、天板５６ｂの上面に配置されるマウントフィルムＭＦが蓋部６６ｂを押し上げつつ取り出し口６２から突出している状態が示されている。切り欠き部６０，６４から指等でマウントフィルムＭＦに触れてマウントフィルムＭＦを手前側に引き出すことによって、このようにマウントフィルムＭＦを取り出し口６２から突出させることができる。
【００３８】
このような収納ケース１４ａでは、取り出し口６２を開閉するための蓋６６が規制部材５８に設けられ、マウントフィルムＭＦの取り出しが必要でないときには閉じ側に付勢される蓋部６６ｂによって取り出し口６２が閉じられる。これによって、取り出しが必要でないときに、マウントフィルムＭＦが取り出し口６２から飛び出しひいてはマウントフィルムＭＦが収納ケース１４ａから脱落することを防止できる。
【００３９】
マウントフィルムＭＦは、装着部２６から規制部材５８の後側の側面５８ｂ側に送り出され、収納ケース１４ａ内に与えられるので、手前側の側面５８ａの取り出し口６２から突出しやすい。蓋６６は、手前側の側面５８ａに取り出し口６２が設けられる収納ケース１４ａにおいて特に有効となる。
【００４０】
なお、収納ケース１４ａにおいて、規制部材５８の左側の側面５８ｃあるいは右側の側面５８ｄに開口部を形成してもよい。
【００４１】
また、取り出し口を開閉するための蓋は、蝶番状の蓋６６に限定されない。たとえば、上下にスライドすることによって取り出し口を開閉する蓋を規制部材に設けてもよい。
【００４２】
なお、上述の収納ケース１４，１４ａでは、規制部材３０，５８を壁状に形成する場合について説明したが、マウントフィルムＭＦの前後左右の動きを規制できれば規制部材はこれに限定されない。たとえば、支持部材の周囲に複数の棒状部材を配置することによって規制部材を構成してもよい。
【００４３】
さらに、上述の収容ケース１４，１４ａでは、マウントフィルムＭＦを１枚ずつ取り出すように取り出し口４４，６２を形成する場合について説明したが、複数のマウントフィルムＭＦを取り出すことができるように取り出し口を形成してもよい。
【図面の簡単な説明】
【００４４】
【図１】この発明のマウント装置を示す斜視図解図である。
【図２】収納ケースを前方左斜め上方からみた斜視図解図である。
【図３】収納ケースを前方左斜め下方からみた斜視図解図である。
【図４】収納ケースを後方右斜め上方からみた斜視図解図である。
【図５】収納ケースと筐体の手前側の側面との関係を示す側面図解図である。
【図６】収納ケースの他の例を示す正面図解図である。
【図７】図６の収納ケースのＡ−Ａ断面図解図である。
【図８】図６の収納ケースの底面図解図である。
【図９】従来技術のマウント装置を示す斜視図解図である。
【符号の説明】
【００４５】
１０      マウント装置
１２      装置本体
１４，１４ａ      収納ケース
２８，５６      支持部材
３０，５８      規制部材
３６      開口部
４４，６２      取り出し口
３２，３４，４６，６０，６４      切り欠き部
５２      取り付け部材
蓋      ６６
Ｆ１      フィルム片
Ｍ      マウント
ＭＦ      マウントフィルム
【図１】
2007033834.tif 000003
【図２】
2007033834.tif 000004
【図３】
2007033834.tif 000005
【図４】
2007033834.tif 000006
【図５】
2007033834.tif 000007
【図６】
2007033834.tif 000008
【図７】
2007033834.tif 000009
【図８】
2007033834.tif 000010
【図９】
2007033834.tif 000011